(57)【特許請求の範囲】
【請求項１】
一列配置の３個のカソードに順次隣接して蛍光体スクリーン側に配置され、上記カソードとともに一列配置の３電子ビームを発生する電子ビーム発生部を形成する複数個の電極、および上記３電子ビームを最終的に上記蛍光体スクリーン上に集束する主レンズを形成する複数個の電極からなる電子銃を備え、上記主レンズが少なくとも相対的に低電位の第1電極と、この第1電極と対向する相対的に高電位の第２電極とを有するカラー受像管において、
上記第1、第２電極はそれぞれ対向面に３電子ビームの配列方向を長軸とし直交する方向を短軸とする３電子ビーム各別の３個のバーリング部をもたない非円形電子ビーム通過孔が形成され、かつこれら第1、第２電極の少なくとも一方の電極にこれら第1、第２電極により形成される電子レンズの集束領域での３電子ビームの配列方向よりも直交する方向に強い集束作用または発散領域での３電子ビームの配列方向よりも直交する方向に強い発散作用の電界を整形調整する３個の電子ビーム通過孔を有する板状またはカップ状の電界補正電極が設けられていることを特徴とするカラー受像管。
【請求項２】
請求項１記載のカラー受像管において、
電界補正電極はこの電界補正電極が設けられた電極の対向面からの管軸方向最短距離をＬ、上記電界補正電極が設けられた電極の対向面の非円形電子ビーム通過孔の３電子ビーム配列方向と直交する方向の最大径をＤ、上記電界補正電極が設けられた電極の対向面の板厚をｔとするとき、
０＜（Ｌ−ｔ）／Ｄ＜１．５
の位置に設けられていることを特徴とするカラー受像管。
【発明の詳細な説明】
【０００１】
【産業上の利用分野】
この発明は、カラー受像管に係り、特に電子銃から放出される電子ビームのビームスポットの形状を改善して、画面全域の解像度を良好にするカラー受像管に関する。
【０００２】
【従来の技術】
一般にカラー受像管は、外囲器のパネル内面に、多数の電子ビーム通過孔の形成されたシャドウマスクと対向して、３色蛍光体層からなる蛍光体スクリーンが形成され、電子銃から放出される３電子ビームを外囲器の外側に装着された偏向装置の発生する水平、垂直偏向磁界により偏向し、上記シャドウマスクを介して蛍光体スクリーンを水平、垂直走査することによりカラー画像を表示する構造に形成されている。
【０００３】
このようなカラー受像管において、特に電子銃を、同一水平面上を通るセンタービームおよび一対のサイドビームからなる一列配置の３電子ビームを放出するインライン型電子銃とし、この電子銃から放出される３電子ビームを図１４（ａ）に示すピンクッション形水平偏向磁界１H および同（ｂ）に示すバレル形垂直偏向磁界１V からなる非斉一磁界を発生する偏向装置と組合わせて、上記一列配置の３電子ビーム２B ，２G ，２R を蛍光体スクリーン上に集中するようにしたセルフコンバーゼンス・インライン型カラー受像管が、現在カラー受像管の主流となっている。
【０００４】
このインライン型カラー受像管の電子銃としては、既に各種構造のものがあるが、いずれも、一列配置の３個のカソードおよびこれらカソードからの電子放出を制御しかつ放出された電子を集束して３電子ビームを形成する第１、第２グリッドからなる電子ビーム発生部、この電子ビーム発生部から得られる３電子ビームを最終的に蛍光体スクリーン上に集束する少なくとも２個のグリッドからなる主レンズを有する。
【０００５】
このセルフコンバーゼンス・インライン型カラー受像管によれば、ダイナミック・コンバーゼンス装置などの集中装置を用いることなく一列配置の３電子ビームを蛍光体スクリーン上に集中することができる。しかしこのカラー受像管においては、上記のように水平、垂直偏向磁界が非斉一であるため、画面周辺部における解像度が劣化し、この解像度の劣化が偏向角が９０°から１１０°と大きくなるにしたがって顕著となるという問題がある。
【０００６】
この画面周辺部における解像度の劣化は、図１４（ａ）および（ｂ）に３電子ビーム２B ，２G ，２R のうち、２R について示したように、水平偏向磁界１H により水平方向には集束が弱められ、水平偏向磁界１V により垂直方向には集束が強められることが原因であり、そのために、画面上のビームスポットは、図１５に示すように、画面中央部のビームスポット３a を真円としても、周辺部のビームスポット３b は、水平方向に長い楕円状の高輝度コア部４のほかに、垂直方向に長い低輝度のハロー部５をともなう形状に歪むためである。
【０００７】
このビームスポットの歪（偏向歪）を改善する手段として、電子ビーム発生部で得られる電子ビームを予備集束するプリフォーカスレンズで電子ビームを強く絞り、主レンズや偏向磁界を通過するときのビーム径を小さくすることにより、偏向歪を軽減する方法がある。しかしこの方法では、クロスオーバー径が大きくなり、画面中央部の解像度が劣化する。
【０００８】
上記ビームスポットの歪を改善する他の手段として、プリフォーカスレンズを非対称レンズとする方法や、特公昭６０−７３４５号公報に示されているように、主レンズに非対称性を付与して、電子ビームの垂直方向をアンダーフォーカス状態とすることにより、偏向歪を軽減する方法がある。さらに特開平１−２３６５５４号公報には、画面中央部の解像度を犠牲にすることなく、画面周辺部の解像度を改善する手段として、主レンズに一種の四極子レンズを付加して、電子ビームが主レンズから垂直方向には強い集束作用と発散作用を、水平方向には弱い集束作用と発散作用を受けるようにし、それにより、偏向磁界を通過する電子ビームの断面形状を、垂直方向を短径とする楕円状にして、垂直方向に強く受ける偏向歪を軽減し、また四極子レンズの電界成分を最適化して、画面中央部のビームスポットをほぼ円形にする手段が示されている。
【０００９】
しかしこのような主レンズの特性を発揮させるためには、図１６に示すように、主レンズを形成する筒状の第３、第４グリッドＧ3 ，Ｇ4 内に電界補正部材７，８を溶接するか、あるいは特開平４−３３２４３８号公報に示されているように、図１７に示す構造の立体型電界補正電極９，１０を配置する必要がある。しかしこのような手段は、電極構造が複雑であったり、組立時に電極が変形しやすく、かつコストアップをまねくなどの問題がある。
【００１０】
【発明が解決しようとする課題】
上記のように、セルフコンバーゼンス・インライン型カラー受像管の画面周辺部の解像度を劣化させるビームスポットの歪を改善する手段として、主レンズを形成する筒状電極内に電界補正部材を溶接するか、あるいは複雑な形状の立体型電界補正電極を配置することが知られている。しかしこのような手段は、電極構造が複雑であったり、組立時に電極が変形しやすく、かつコストアップをまねくなどの問題がある。
【００１１】
この発明は、上記問題点に鑑みてなされたものであり、主レンズを形成する筒状電極に簡単な構造の電界補正電極を配置し、精度よくかつ低コストでカラー受像管の画面周辺部の解像度の劣化を防止し、画面全域の解像度を良好にすることを目的とする。
【００１２】
【課題を解決するための手段】
一列配置の３個のカソードに順次隣接して蛍光体スクリーン側に配置され、カソードとともに一列配置の３電子ビームを発生する電子ビーム発生部を形成する複数個の電極、およびその３電子ビームを最終的に蛍光体スクリーン上に集束する主レンズを形成する複数個の電極からなる電子銃を備え、その主レンズが少なくとも相対的に低電位の第1電極と、この第1電極と対向する相対的に高電位の第２電極とを有するカラー受像管において、第1、第２電極にそれぞれ対向面に３電子ビームの配列方向を長軸とし直交する方向を短軸とする３電子ビーム各別の３個のバーリング部をもたない非円形電子ビーム通過孔を形成され、かつこれら第1、第２電極の少なくとも一方の電極にこれら第1、第２電極により形成される電子レンズの集束領域での３電子ビームの配列方向よりも直交する方向に強い集束作用または発散領域での３電子ビームの配列方向よりも直交する方向に強い発散作用の電界を整形調整する３個の電子ビーム通過孔を有する板状またはカップ状の電界補正電極を設けた。
【００１３】
また、その電界補正電極を、電界補正電極が設けられた電極の対向面からの管軸方向最短距離をＬ、電界補正電極が設けられた電極の対向面の非円形電子ビーム通過孔の３電子ビーム配列方向と直交する方向の最大径をＤ、電界補正電極が設けられた電極の対向面の板厚をｔとするとき、
０＜（Ｌ−ｔ）／Ｄ＜１．５
の位置に設けた。
【００１４】
【作用】
上記のように、主レンズを形成する第１、第２電極の各対向面に３電子ビームの配列方向を長軸とし直交する方向を短軸とする３電子ビーム各別の３個のバーリング部をもたない非円形電子ビーム通過孔を形成すると、第１、第２電極により形成される電子レンズの集束領域では、３電子ビームの配列方向の集束作用よりも直交する方向に集束作用を強くすることができ、発散領域では、３電子ビームの配列方向発散作用よりも直交する方向の発散作用を強くすることができる。そして第１、第２電極の少なくとも一方に３個の電子ビーム通過孔を有する板状またはカップ状の電界補正電極を配置することにより、その集束領域での集束作用および発散領域での発散作用を最適に調整して、特に画面周辺部におけるビームスポットの形状を良好にすることができる。すなわち、電界補正電極を構造の簡単な製造の容易な板状またはカップ状とすることができ、それにより、組立精度が良好となり、低いコストで特性のばらつきを抑え、画面周辺部のビームスポットの形状を改善して、画面全域の解像度を良好にすることができる。
【００１５】
また、その電界補正電極を、
０＜（Ｌ−ｔ）／Ｄ＜１．５
の位置に設けることにより、第１、第２電極により形成される電子レンズの集束領域での集束作用および発散領域での発散作用を最適に調整するようにすることができる。
【００１６】
【実施例】
以下、図面を参照してこの発明を実施例に基づいて説明する。
【００１７】
図４にその一実施例であるインライン型カラー受像管を示す。このカラー受像管は、パネル２０およびこのパネル２０に一体に接合されたファンネル２１からなる外囲器を有し、そのパネル２０の内面に、青、緑、赤に発光する垂直方向に細長いストライプ状の３色蛍光体層からなる蛍光体スクリーン２２が設けられ、この蛍光体スクリーン２２に対向して、その内側に多数の電子ビーム通過孔の形成されたシャドウマスク２３が配置されている。一方、ファンネル２１のネック２４内に、同一水平面上を通るセンタービーム２５G および一対のサイドビーム２５B ，２５R からなる一列配置の３電子ビーム２５B ，２５G ，２５R を放出する後述する電子銃２６が配設されている。そして、この電子銃２６から放出される３電子ビーム２５B ，２５G ，２５R をファンネル２１の外側に装着された偏向装置２７の発生するピンクッション形水平偏向磁界およびバレル形垂直偏向磁界により偏向して、上記蛍光体スクリーン２２を水平、垂直走査することによりカラー画像を表示する構造に形成されている。
【００１８】
上記電子銃２６は、図１に示すように、水平方向に一列配置された３個のカソードＫB ，ＫG ，ＫR 、これらカソードＫB ，ＫG ，ＫR を各別に加熱する３個のヒータＨ、上記カソードＫB ，ＫG ，ＫR の蛍光体スクリーン側に順次配置された第１乃至第４グリッドＧ1 〜Ｇ4 およびその第４グリッドＧ4 の蛍光体スクリーン側端部に取付けられたコンバーゼンス・カップＣからなり、これらカソードＫB ，ＫG ，ＫR 、ヒータＨおよび第１乃至第４グリッドＧ1 〜Ｇ4 が一対の絶縁支持体（図示せず）により一体に固定された構造に形成されている。
【００１９】
その第１および第２グリッドＧ1 ，Ｇ2 は、板状電極からなり、これら電極には、３個のカソードＫB ，ＫG ，ＫR に対応して、比較的小さな３個の円形電子ビーム通過孔が一列配置に形成されている。第３グリッドＧ3 （第１電極）は、一対のカップ電極Ｇ31，Ｇ32の開放端を突合わせた筒状電極からなり、その第２グリッドＧ2 との対向面には、３個のカソードＫB ，ＫG ，ＫR に対応して、第２グリッドＧ2 の電子ビーム通過孔よりも大きな３個の円形電子ビーム通過孔が一列配置に形成されている。また第４グリッドＧ4 との対向面には、図２に示すように、３個のカソードに対応して、水平方向を長軸、垂直方向を短軸とし、その短軸方向径が上記第２グリッドＧ2 との対向面の電子ビーム通過孔よりも大きい横長（非円形状）の３個の電子ビーム通過孔２９B ，２９G ，２９R が一列配置に形成されている。第４グリッドＧ4 （第２電極）は、上記第３グリッドＧ3 と同様に、一対のカップ電極Ｇ41，Ｇ42の開放端を突合わせた筒状電極からなり、その第３グリッドＧ3 との対向面には、図２に示した電子ビーム通過孔２９B ，２９G ，２９R と同じ大きさ形状の３個の電子ビーム通過孔３０B ，３０G ，３０R が一列配置に形成されている。またコンバーゼンス・カップＣとの対向面には、３個のカソードＫB ，ＫG ，ＫR に対応して、上記第３グリッドＧ3 の第２グリッドＧ2 との対向面の電子ビーム通過孔よりも大きい３個の円形電子ビーム通過孔が一列配置に形成されている。さらにコンバーゼンス・カップＣの底部にも、３個のカソードＫB ，ＫG ，ＫR に対応して、上記第４グリッドＧ4 のコンバーゼンス・カップＣとの対向面の電子ビーム通過孔と同じ大きさの３個の円形電子ビーム通過孔が一列配置に形成されている。
【００２０】
さらにこの電子銃２６においては、第３グリッドＧ３の一対のカップ電極Ｇ３１，Ｇ３２の突合わせ部に電界補正電極３１が配置されている。この電界補正電極３１は、板状電極からなり、その板面が第３グリッドＧ３の第４グリッドＧ４との対向面と平行に配置され、かつその板面に、図３に示すように、３個のカソードに対応して、第３グリッドＧ３の第２グリッドＧ２との対向面の電子ビーム通過孔よりも大きな３個の電子ビーム通過孔３２Ｂ，３２Ｇ，３２Ｒが一列配置に形成されている。
【００２１】
この電子銃２６では、カソードＫB ，ＫG ，ＫR に１５０Ｖ程度の直流電圧に映像信号の重畳された電圧が印加され、第１グリッドＧ1 を接地電位として、第２グリッドＧ2 に約６００Ｖ、第３グリッドＧ3 に約７ｋＶ、第４グリッドＧ4 に約２５ｋＶに高電圧が印加される。
【００２２】
このような電圧の印加により、カソードＫB ，ＫG ，ＫR および第１、第２グリッドＧ1 ，Ｇ2 により、各ＫB ，ＫG ，ＫR からの電子放出を制御し、かつ放出された電子を集束して電子ビームを形成する電子ビーム発生部が形成され、第２、第３グリッドＧ2 ，Ｇ3 により、上記電子ビームを予備集束するプリフォーカスレンズがされる。さらに第３、第４グリッドＧ3 ，Ｇ4 により、予備集束された電子ビームを最終的に蛍光体スクリーン上に集束する主レンズが形成される。
【００２３】
上記主レンズでは、相対的に低い電圧が印加される第３グリッドＧ3 側に集束電界が形成され、相対的に高い電圧が印加される第４グリッドＧ4 側に発散電界が形成される。図５（ａ）にその第３、第４グリッドＧ3 ，Ｇ4 間に形成される主レンズの水平方向の電位分布を、また同（ｂ）に垂直方向の電位分布を示す。これら水平および垂直方向の電位分布は、ともに第３、第４グリッドＧ3 ，Ｇ4 の各対向部の内側に、電子ビーム通過孔２９B ，２９G ，２９R および３０B ，３０G ，３０R を取囲むバーリングがないため、それそれ３個の電子ビーム通過孔２９B ，２９G ，２９R ，３０B ，３０G ，３０R 共通の等電位線３４H ，３４V で示した電位分布となる。しかも水平方向には、３個の電子ビーム通過孔２９B ，２９G ，２９R ，３０B ，３０G ，３０R が一列配置に形成されているが、垂直方向には、他に電子ビーム通過孔などの開孔がないため、水平、垂直方向の電位分布は、それぞれ図５（ａ）および（ｂ）に示したようになり、その等電位線３４H ，３４V の曲率は、水平方向よりも垂直方向の方が大きい。その結果、この第３、第４グリッドＧ3 ，Ｇ4 間に形成される主レンズは、電子ビームに対して、水平方向には、相対的に弱い集束作用と発散作用を及ぼし、垂直方向には、相対的に強い集束作用と発散作用を及ぼす。
【００２４】
この主レンズの作用を光学モデルで示すと、図６のようになる。すなわち、電子ビーム２５（２５B ，２５G ，２５R ）は、第３グリッド側の集束領域３６では、水平方向には線ＦＧで示すように相対的に弱い集束作用を受け、垂直方向には線ＦＨで示すように相対的に強い集束作用を受ける。また第４グリッド側の発散領域３７では、水平方向には、線ＧＩで示すように相対的に弱い発散作用を受け、垂直方向には、線ＨＪで示すように相対的に強い発散作用を受ける。その結果、電子ビーム２５は、水平方向と垂直方向とで程度の異なる集束、発散作用を受け、偏向領域３８における電子ビーム２５の断面形状は、画面中央部におけるビームスポット３９a が水平、垂直方向ともに同径の円形になるように設定しても、水平方向を長径、垂直方向を短径とする楕円形状となる。しかも図７に示すように、電子ビーム２５が偏向装置のピンクッション形水平偏向磁界１H から受ける力Ｆの水平方向成分ＦH および垂直方向成分ＦV はそれぞれ小さいため、偏向後の歪は小さく、しかもこの主レンズを通って放出される電子ビーム２５の水平方向の集束角をαH 、垂直方向の集束角をαV とするとき、
αH ＞αV
となり、垂直方向の集束角αV も小さいため、同（ｂ）に示したように、画面周辺部に向かう電子ビーム２５の断面形状４０は、若干長径、短径が強調された楕円形状となる。
【００２５】
その結果、画面上のビームスポットの形状は、図８に示すように、画面中央部のビームスポット４０a をほほ真円とし、画面周辺部のビームスポット４０b は、ハローを抑制または発生しない楕円形状とすることができ、画面中央部の解像度を劣化させることなく、画面周辺部の解像度を向上させることができる。
【００２６】
ところで、主レンズが電子ビームに対して水平方向よりも垂直方向に強い集束作用および発散作用を及ぼすようにするため、従来は、図１６に示したように、筒状の第３、第４グリッドＧ3 ，Ｇ4 内に電界補正部材７，８を溶接するか、あるいは図１７に示したように、複雑な構造の立体型電界補正電極９，１０を配置しなければならなかったが、この例の電子銃では、第３、第４グリッドＧ3 ，Ｇ4 の各対向面の電子ビーム通過孔２９B ，２９G ，２９R ，３０B ，３０G ，３０R を、水平方向を長軸、垂直方向を短軸とする横長形状にし、この横長形状の電子ビーム通過孔２９B ，２９G ，２９R ，３０B ，３０G ，３０R により、水平方向に対して垂直方向に強い集束作用と発散作用を及ぼす電界を形成し、この電界の集束、発散作用を３個の円形電子ビーム通過孔３２B ，３２G ，３２R の形成された板状電極からなる構造簡単な電界補正電極３１で調整するものとしている。このような主レンズの電界を調整する方法としては、その主レンズを構成する第３、第４グリッドＧ3 ，Ｇ4 の各対向面の電子ビーム通過孔の孔径などを適宜設定することでも、変化させることは可能であるが、このような方法は、主レンズの特性の変化が大きく、電界を適正に調整することがきわめて困難である。しかしこの例の電子銃のように、主レンズを構成する第３、第４グリッドＧ3 ，Ｇ4 の一方の電極内に板状の電界補正電極３１を配置すると、水平方向に対して垂直方向に強い集束作用と発散作用を及ぼす所望の電界を容易に形成することができるようになる。
【００２７】
この場合、その電界補正電極３１は、主レンズの電界内に設けることが必要であり、図９に示すように、第３グリッドＧ3 の第４グリッドＧ4 との対向面から電界補正電極３１までの管軸方向最短距離をＬ、第３グリッドＧ3 の第４グリッドＧ4 との対向面の電子ビーム通過孔２９B ，２９G ，２９R （２９G のみ図示）の配列方向（３電子ビーム配列方向）と直交する方向の最大径をＤ、第３グリッドＧ3 の第４グリッドＧ4 との対向面の板厚をｔとするとき、下記数１
【数１】
０＜（Ｌ−ｔ）／Ｄ＜１．５
の位置に電界補正電極３１を設けることにより、第３、第４グリッドＧ3 ，Ｇ4 により形成される主レンズの電界を最適に調整することができる。
【００２８】
つぎに、他の実施例について説明する。
【００２９】
前記実施例１では、主レンズを構成する第３グリッドを構成する一対のカップ電極の突合わせ部に板状の電界補正電極を配置したが、図１０（ａ）に示す電子銃では、その主レンズを構成する第３、第４グリッドＧ3 ，Ｇ4 のうち、特に第３グリッドＧ3 を筒状電極Ｇ33とカップ電極Ｇ32とで構成し、そのカップ電極Ｇ32を第４グリッドＧ4 側に配置し、これら筒状電極Ｇ33とカップ電極Ｇ32の突合わせ部にカップ状の電界補正電極３１が配置された構造に形成されている。このカップ状の電界補正電極３１は、同（ｂ）に示すように、水平方向に一列配置の３個のカソードに対応して、３個の円形電子ビーム通過孔３２B ，３２G ，３２R が形成され、その各電子ビーム通過孔３２B ，３２G ，３２R のまわりにバーリング４２が設けられた構造に形成されている。
【００３０】
このような電界補正電極３１についても、前記数１の関係に配置することにより、第３、第４グリッドＧ3 ，Ｇ4 により形成される主レンズの電界を最適に調整して、図８に示したように、画面中央部のビームスポットをほぼ真円とし、周辺部でハローを抑制または発生しない楕円形状とすることができ、画面中央部の解像度を劣化させることなく、画面周辺部の解像度を向上させることができる。
【００３１】
また、前記実施例では、主レンズを構成する第３、第４グリッドのうち、第３グリッドを構成する一対のカップ電極の突合わせ部に板状の電界補正電極を配置したが、図１１に示す電子銃は、主レンズを構成する第３、第４グリッドＧ3 ，Ｇ4 のうち、第4 グリッドＧ4 を構成する一対のカップ電極Ｇ41，Ｇ42の突合わせ部に板状の電界補正電極３１が配置された構造に形成されている。
【００３２】
このように第4 グリッドＧ4 に板状の電界補正電極３１を配置しても、第４グリッドＧ4 の第３グリッドＧ3 との対向面から電界補正電極３１までの管軸方向最短距離をＬ、第４グリッドＧ4 の第３グリッドＧ3 との対向面の電子ビーム通過孔３０B ，３０G ，３０R （３０G のみ図示）の配列方向と直交する方向の最大径をＤ、第４グリッドＧ4 の第３グリッドＧ3 との対向面の板厚をｔとするとき、前記数１の関係にすることにより、第３、第４グリッドＧ3 ，Ｇ4 により形成される主レンズの電界を最適に調整して、図８に示したように、画面中央部のビームスポットをほぼ真円とし、周辺部でハローを抑制または発生しない楕円形状とすることができ、画面中央部の解像度を劣化させることなく、画面周辺部の解像度を向上させることができる。
【００３３】
また、前記実施例では、主レンズを構成する第３、第４グリッドのうち、いずれか一方の電極の突合わせ部に電界補正電極を配置したが、図１２に示すように、主レンズを構成する第３、第４グリッドＧ3 ，Ｇ4 の両方の電極の突合わせ部に電界補正電極３１a ，３１b を配置しても、同様にこれら第３、第４グリッドＧ3 ，Ｇ4 により形成される主レンズの電界を最適に調整して、図８に示したように、画面中央部のビームスポットをほぼ真円とし、周辺部でハローを抑制または発生しない楕円形状とすることができ、画面中央部の解像度を劣化させることなく、画面周辺部の解像度を向上させることができる。
【００３４】
さらに、前記実施例では、電界補正電極に一列配置の３個のカソードに対応して３個の円形電子ビーム通過孔を形成したが、図１３（ａ）に示すように、この電界補正電極３１の３個の円形電子ビーム通過孔３２B ，３２G ，３２R は、水平方向に一列配置の３個のカソードに対応して、水平方向を長軸、垂直方向を短軸とする３個の横長の電子ビーム通過孔３２B ，３２G ，３２R としても、前記数１の位置に配置することにより、同様の効果をもつ電子銃を構成することができる。また同（ｂ）に示すように、センタービーム通過孔３２G と一対のサイドビーム通過孔３２B ，３２R の形状を異ならしめても、同様の効果をもつ電子銃を構成することができる。
【００３５】
なお、上記実施例では、４個の電極からなるバイポテンシャル型電子銃について説明したが、この発明は、他の構造の電子銃にも適用可能である。
【００３６】
【発明の効果】
一列配置の３個のカソードに順次隣接して蛍光体スクリーン側に配置され、カソードとともに一列配置の３電子ビームを発生する電子ビーム発生部を形成する複数個の電極、およびその３電子ビームを最終的に蛍光体スクリーン上に集束する主レンズを形成する複数個の電極からなる電子銃を備え、その主レンズが少なくとも相対的に低電位の第1電極と、この第1電極と対向する相対的に高電位の第２電極とを有するカラー受像管において、第1、第２電極のそれぞれ対向面に３電子ビームの配列方向を長軸とし直交する方向を短軸とする３電子ビーム各別の３個のバーリング部をもたない非円形電子ビーム通過孔を形成し、かつこれら第1、第２電極の少なくとも一方の電極にこれら第1、第２電極により形成される電子レンズの集束領域での３電子ビームの配列方向よりも直交する方向に強い集束作用または発散領域での３電子ビームの配列方向よりも直交する方向に強い発散作用の電界を整形調整する３個の電子ビーム通過孔を有する板状またはカップ状の電界補正電極を設けると、第1、第２電極により形成される電子レンズの集束領域では、３電子ビームの配列方向の集束作用よりも直交する方向に集束作用を強くすることができ、発散領域では、３電子ビームの配列方向発散作用よりも直交する方向の発散作用を強くすることができる。そして第1、第２電極の少なくとも一方に板状またはカップ状の電界補正電極を配置することにより、その集束領域での集束作用および発散領域での発散作用を最適に調整でき、電界補正電極を構造の簡単な製造の容易な板状またはカップ状とすることにより、組立精度が良好となり、低いコストで電子銃の特性のばらつきを抑え、画面周辺部のビームスポットの形状を改善して、画面全域の解像度を向上させることができる。
【００３７】
また、その電界補正電極を、電界補正電極が設けられた電極の対向面からの管軸方向最短距離をＬ、電界補正電極が設けられた電極の対向面の非円形電子ビーム通過孔の３電子ビーム配列方向と直交する方向の最大径をＤ、電界補正電極が設けられた電極の対向面の板厚をｔとするとき、
０＜（Ｌ−ｔ）／Ｄ＜１．５
の位置に設けることにより、第１、第２電極により形成される電子レンズの集束領域での集束作用および発散領域での発散作用を最適に調整するようにすることができる。
【図面の簡単な説明】
【図１】図１（ａ）はこの発明の一実施例であるインライン型カラー受像管の電子銃の構成を示す平面図、図１（ｂ）は側面図である。
【図２】上記電子銃の第３グリッドを構成する第４グリッド側のカップ電極の構造を示す斜視図である。
【図３】上記電子銃の第３グリッド内に配置される電界補正電極の構造を示す平面図である。
【図４】この発明の一実施例であるインライン型カラー受像管の構成を示す図である。
【図５】図５（ａ）は上記電子銃の主レンズの水平方向の電位分布を示す図、図５（ｂ）は垂直方向の電位分布を示す図である。
【図６】上記主レンズの電子ビームに対する作用を説明するための光学モデル図である。
【図７】電子ビームに対する偏向装置のピンクッション形水平偏向磁界の作用を説明するための図である。
【図８】上記電子銃から放出される電子ビームの画面上のビームスポットの形状を示す図である。
【図９】上記電界補正電極の配置位置を説明するための図である。
【図１０】図１０（ａ）はこの発明の他の実施例の電子銃の要部構成を示す図、図１０（ｂ）はその電界補正電極の構造を示す図である。
【図１１】この発明の異なる他の実施例の電子銃の要部構成を示す図である。
【図１２】この発明のさらに異なる他の実施例の電子銃の要部構成を示す図である。
【図１３】図１３（ａ）および（ｂ）はそれぞれ電子ビーム通過孔の形状が異なる電界補正電極を示す平面図である。
【図１４】図１４（ａ）はセルフコンバーゼンス・インライン型カラー受像管に装着される偏向装置のピンクッション形水平偏向磁界を示す図、図１４（ｂ）はバレル形垂直偏向磁界を示す図である。
【図１５】従来のセルフコンバーゼンス・インライン型カラー受像管の画面上のビームスポットの形状を示す図である。
【図１６】従来の電界補正部材の配置された電子銃の要部構成を示す図である。
【図１７】図１７（ａ）は従来の立体型電界補正電極の配置された電子銃の要部構成を示す図、図１７（ｂ）はその立体型電界補正電極の構造を示す斜視図である。
【符号の説明】
２２…蛍光体スクリーン
２５B ，２５R …一対のサイドビーム
２５G …センタービーム
２６…電子銃
２９B ，２９G 、２９R …電子ビーム通過孔
３０B ，３０G 、３０R …電子ビーム通過孔
３１…電界補正電極
３２B ，３２G 、３２R …電子ビーム通過孔
３４H ，３４V …等電位線
３９a ，３９b …ビームスポット
４２…バーリング
Ｃ…コンバーゼンスカップ
Ｇ1 …第１グリッド
Ｇ2 …第２グリッド
Ｇ3 …第３グリッド
Ｇ4 …第４グリッド
Ｈ…ヒータ
ＫB ，ＫG 、ＫR …カソード
【図１】
0003640694.tif 000002
【図２】
0003640694.tif 000003
【図３】
0003640694.tif 000004
【図４】
0003640694.tif 000005
【図５】
0003640694.tif 000006
【図６】
0003640694.tif 000007
【図７】
0003640694.tif 000008
【図８】
0003640694.tif 000009
【図９】
0003640694.tif 000010
【図１０】
0003640694.tif 000011
【図１１】
0003640694.tif 000012
【図１２】
0003640694.tif 000013
【図１３】
0003640694.tif 000014
【図１４】
0003640694.tif 000015
【図１５】
0003640694.tif 000016
【図１６】
0003640694.tif 000017
【図１７】
0003640694.tif 000018